(57)【要約】【課題】  作業者の熟練度に関係なく容易にころの組込ができるようにして作業効率の向上を図る。【解決手段】  ころ軸受の内輪１１に外挿されたもみ抜き保持器１２のポケット部１３にころ１４を組み込むためのころ組込治具１０であって、内輪１１の下端部に掛止する掛止部１５を有する本体１６と、内輪１１の上端側で本体１６に取り付けられ、内輪１１の軸方向に伸縮駆動されるロッド１８を有するアクチュエータ１９と、ロッド１８の先端に回動可能に取り付けられ、内輪１１と保持器１２の柱部２１との間に挿入されると共に、該挿入状態でアクチュエータ１９のロッド１８を内輪１１側に伸長駆動することで、内輪１１の上端側小つばのエッジを支点に揺動して保持器１２を径方向外方の押し広げる可動片２０とを備えている。【選択図】  図２
2005256990.tif 000002
【特許請求の範囲】
【請求項１】
ころ軸受の内輪に外挿されたもみ抜き保持器のポケット部にころを組み込むためのころ組込治具であって、
前記内輪の軸方向の一端部に掛止する掛止部を有する本体と、
該内輪の軸方向の他端側で前記本体に取り付けられ、前記内輪の軸方向に伸縮駆動されるロッドを有するアクチュエータと、
前記ロッドの先端に回動可能に取り付けられ、前記内輪と前記保持器の柱部との間に挿入されると共に、該挿入状態で前記アクチュエータの前記ロッドを前記内輪側に伸長駆動することで、前記内輪の軸方向の他端部を支点に揺動して前記保持器を該保持器の径方向外方に押し広げる可動片と、を備えたことを特徴とするころ組込治具。
【請求項２】
ころ軸受の内輪に外挿されたもみ抜き保持器のポケット部にころを組み込むためのころ組込方法であって、
前記内輪の軸方向の一端部に掛止部を掛止すると共に、
前記内輪の軸方向の他端側で該内輪と前記保持器の柱部との間に可動片を挿入して、アクチュエータのロッドを前記内輪側に伸長駆動することで、前記可動片が前記内輪の軸方向の他端部を支点に揺動して前記保持器を該保持器の径方向外方に押し広げて、前記ころの保持器ポケット部への挿入を可能にしたことを特徴とするころ組込方法。
【請求項３】
前記請求項１に記載のころ組込治具または前記請求項２記載のころ組込方法によってころを組込んだことを特徴とするころ軸受。
【発明の詳細な説明】
【技術分野】
【０００１】
本発明は、ころ軸受の内輪に外挿されたもみ抜き保持器のポケット部にころを組み込むためのころ組込治具、ころ組込方法及びころ軸受に関する。
【背景技術】
【０００２】
ころ軸受の内輪に外挿されたもみ抜き保持器のポケット部にころを組み込むには、内輪を外輪に組込む際に邪魔になるため予め保持器ポケット部に入れておくことができないころ（残ころ）以外を保持器ポケット部に挿入する外組みの他、内輪、残ころ以外のころ、保持器の組立体を外輪に組込んだ後に、残ころを保持器ポケットに挿入する中組み等がある。
【０００３】
いずれの場合も、図６（ａ）及び図６（ｂ）に示されるように、作業者がころ組込治具１を内輪２と保持器３の柱部４との間に挿入し、この状態でころ組込治具１を人力で保持器３の径方向内方に押し込むことにより、保持器３を径方向外方に押し広げて保持器３のポケット部５にころ６を挿入するようにしている。
【発明の開示】
【発明が解決しようとする課題】
【０００４】
しかしながら、上記従来のころ組込治具においては、作業者の人力で操作しているため、作業者の熟練度の個人差や疲労等によって作業にばらつきが生じる。また、保持器３の径方向外方への押し広げ量が不足してころ６が挿入途中で柱部４に挟まる等、作業効率が悪いという不都合がある。
【０００５】
本発明は、上述したような事情に鑑みてなされたものであり、その目的は、作業者の熟練度に関係なく容易にころの組込ができるようにして作業効率の向上を図ることができるころ組込治具、ころ組込方法及びころ軸受を提供することにある。
【課題を解決するための手段】
【０００６】
本発明のころ組込治具は、ころ軸受の内輪に外挿されたもみ抜き保持器のポケット部にころを組み込むためのころ組込治具であって、
前記内輪の軸方向の一端部に掛止する掛止部を有する本体と、該内輪の軸方向の他端側で前記本体に取り付けられ、前記内輪の軸方向に伸縮駆動されるロッドを有するアクチュエータと、前記ロッドの先端に回動可能に取り付けられ、前記内輪と前記保持器の柱部との間に挿入されると共に、該挿入状態で前記アクチュエータの前記ロッドを前記内輪側に伸長駆動することで、前記内輪の軸方向の他端部を支点に揺動して前記保持器を該保持器の径方向外方に押し広げる可動片とを備えたことを特徴とする。
【０００７】
また、本発明のころ組込方法は、ころ軸受の内輪に外挿されたもみ抜き保持器のポケット部にころを組み込むためのころ組込方法であって、前記内輪の軸方向の一端部に掛止部を掛止すると共に、前記内輪の軸方向の他端側で該内輪と前記保持器の柱部との間に可動片を挿入して、アクチュエータのロッドを前記内輪側に伸長駆動することで、前記可動片が前記内輪の軸方向の他端部を支点に揺動して前記保持器を該保持器の径方向外方に押し広げて、前記ころの保持器ポケット部への挿入を可能にしたことを特徴とする。
更に、本発明のころ軸受は、前記ころ組込治具または前記ころ組込方法によってころを組込んだことを特徴とする。
【発明の効果】
【０００８】
上述した構成のころ組込治具、ころ組込方法及びころ軸受は、本体の掛止部を内輪の軸方向の一端部に掛止すると共に、内輪の軸方向の他端側で該内輪と保持器の柱部との間に可動片を挿入し、この状態でアクチュエータのロッドを内輪側に伸長駆動することで、可動片が内輪の軸方向の他端部を支点に揺動して保持器を径方向外方に押し広げて、ころの保持器ポケット部への挿入を可能にしているので、小つばやころに当り跡が生じないと共に、作業者が大きな人力を用いずに保持器を確実に径方向外方に必要変形量押し広げることができ、作業者の熟練度に関係なく容易にころの組込ができ、作業効率の向上を図ることができる。
【発明を実施するための最良の形態】
【０００９】
以下、本発明に係るころ組込治具、ころ組込方法及びころ軸受について図面を参照して説明する。図１は本発明に係るころ組込治具の実施形態を示す全体斜視図、図２はころ組込治具を内輪にセットした状態を示す断面図、図３は油圧アクチュエータの駆動源を説明するための説明図、図４はころ組込治具を内輪にセットする方法を説明するための断面図、図５は可動片の動作を説明するための説明図である。
【００１０】
図１及び図２に示されるように、本発明の実施形態の一例であるころ組込治具１０は、ころ軸受の内輪１１に外挿されたもみ抜き保持器１２のポケット部１３にころ１４を組み込むためのもので、内輪１１の内径面に軸方向に沿って配置されて該内輪１１の下端部に掛止する掛止部１５を有する本体１６と、該内輪１１の上端側で取付プレート１７を介して本体１６に取り付けられ、内輪１１の軸方向に伸縮駆動されるロッド１８を有する油圧アクチュエータ１９と、ロッド１８の先端に回動可能に取り付けられ、内輪１１と保持器１２の柱部２１との間に挿入されて保持器１２を径方向外方に押し広げるための可動片２０と、本体１６と内輪１１の内径面との接触疵を防止すべく本体１６に取り付けられた樹脂プレート２２と、本体１６の上端側で取付プレート１７に突設されて作業者が把持するためのグリップ２３とを備えている。
なお、内輪に疵をつけないためには、治具の内輪内径面に接触する部分に、内輪よりも軟らかい物質を取付ける必要があり、合成樹脂以外に、例えば、真鍮やアルミニウム等の金属、その他ゴムのようなものでも良い。
【００１１】
可動片２０はころ１４の組込み時にころ１４と干渉しないように柱部２１の幅より薄肉な形状とされ、本体１６との間に介装されたコイルばね２４（図３参照）によってロッド１８の回動軸３６を中心に図２中の時計回り方向に付勢されていると共に、本体１６に取り付けられたガイド片２５によって図１中のｙ軸方向の位置決めがなされている。
【００１２】
油圧アクチュエータ１９は、この実施形態では、コンパクト化を図るべく、図３に示されるように、駆動源として空油圧変換ブースタ３０を適用して空圧で増圧した作動油３１の油圧を発生させて油圧ホース３２を介して油圧アクチュエータ１９に出力するようにしている。この空油圧変換ブースタ３０は内部に圧縮空気３３を供給することでピストン３４とピストンロッド３５との受圧面積比分増圧された油圧を発生させるため、空圧を調整することによる出力油圧の調整が可能である。
【００１３】
図４はころ組込治具１０を内輪１１にセットする途中の状態を示している。
まず、ころ組込治具１０を図中の時計回り方向に傾斜させた状態で本体１６を内輪１１の内径部に挿入すると共に、可動片２０を内輪１１と保持器１２の柱部２１との間に挿入する。次に、ころ組込治具１０を図中反時計回り方向に戻して本体１６の掛止部１５を内輪１１の下端面に掛止して図２の状態とする。
【００１４】
このとき、可動片２０の位置は保持器１２の柱部２１の位置と合わせる必要があるが、可動片２０の上方には構造体がなく、上からの視認が可能であるため、可動片２０の位置確認及び修正を容易に行うことができる。
【００１５】
そして、ころ組込治具１０を内輪１１にセットした状態で、油圧アクチュエータ１９を駆動してロッド１８を内輪１１に向けて伸長駆動することで、図５に示されるように、可動片２０がロッド１８の回動軸を力点３６、柱部２１の先端を作用点３８、内輪１１の上端側小つば３９のエッジを支点４０として揺動して保持器１２を径方向外方の押し広げる。これにより、押し広げられた保持器１２の柱部２１の両側のポケット部１３に同時に２個のころ１４を挿入することが可能となる。
【００１６】
ここで、保持器１２の柱部２１の先端を作用点３８とする可動片２０の形状とすることで、保持器１２の径方向外方への押し広げを効率良く行うことができる。また、ころ組込治具１０には、ころ組込治具１０を内輪１１にセットした状態で力点３６と本体１６の掛止部１５のエッジ４１が図２中の上下の同一線上にない場合にモーメントが作用するが、このモーメントを減少させるため、力点３６の位置と本体１６の掛止部１５の内輪１１の下端面への掛かり量の最適化を図っている。
【００１７】
上記構成のころ組込治具１０においては、本体１６の掛止部１５を内輪１１の下端面に掛止すると共に、内輪１１の上端側で該内輪１１と保持器１２の柱部２１との間に可動片２０を挿入し、この状態で油圧アクチュエータ１９のロッド１８を内輪１１側に伸長駆動する。これにより、可動片２０が内輪１１の上端側小つば３９のエッジを支点４０として揺動して保持器１２を径方向外方に押し広げて、ころ１４の保持器１２のポケット部１３への挿入を可能にする。したがって、作業者が大きな力を用いずに保持器１２を確実に径方向外方に必要変形量押し広げることができ、作業者の熟練度に関係なく容易にころ１４の組込ができ、作業効率の向上を図ることができる。
【００１８】
なお、本発明は、上述した実施形態に限定されるものでなく、適宜、変更、改良等が可能である。例えば、上述した実施形態では、アクチュエータとして油圧アクチュエータを採用した場合を例に採ったが、これに代えて、電動アクチュエータを採用することも可能である。
【図面の簡単な説明】
【００１９】
【図１】本発明に係るころ組込治具の実施形態を示す全体斜視図である。
【図２】ころ組込治具を内輪にセットした状態を示す断面図である。
【図３】油圧アクチュエータの駆動源を説明するための説明図である。
【図４】ころ組込治具を内輪にセットする方法を説明するための断面図である。
【図５】可動片の動作を説明するための説明図である。
【図６】従来のころ組込治具を説明するための図で、（ａ）は内輪を軸方向から見た図、（ｂ）は内輪を径方向から見た断面図である。
【符号の説明】
【００２０】
１０  ころ組込治具
１１  内輪
１２  もみ抜き保持器
１３  ポケット部
１４  ころ
１５  掛止部
１６  本体
１８  ロッド
１９  油圧アクチュエータ
２０  可動片
２１  柱部
【図１】
2005256990.tif 000003
【図２】
2005256990.tif 000004
【図３】
2005256990.tif 000005
【図４】
2005256990.tif 000006
【図５】
2005256990.tif 000007
【図６】
2005256990.tif 000008